(57)【要約】      （修正有）【課題】ポータブル空調装置にて保冷ケースの吹出口から吹き出される風量を確保する。【解決手段】ポータブル空調装置１０は、飲料ボトル２０を収納する収納室３０ａと吸込口と吹出口３６とを形成する保冷ケース３０と送風ユニット４０を備え、収納室３０ａ内にて飲料ボトル２０を介して蓄冷材と熱交換した空気流を吹出口３６から吹き出す。収納室３０ａは、飲料ボトル２０の側壁２４と保冷ケース３０との間に形成される熱交換空気空間７０と、保冷ケース３０に対して軸線方向他方側に配置されて吹出口３６に連通する下部空間７１とを有する。下部空間７１は、熱交換空気空間７０から広がるように形成されている。【選択図】図１
2018136066.tif 000002
【特許請求の範囲】
【請求項１】
底部（２３）を有して蓄熱材或いは蓄冷材を収納する容器本体（２１）とこの容器本体の開口部を塞ぐ蓋（２２）とを有する容器（２０）と、
筒状に形成されているケースであって、その軸線方向の一方側に前記容器の蓋が配置され、かつ前記軸線方向の他方側に前記容器本体の底部が配置されるように前記容器を収納する収納室（３０ａ）と、前記収納室とその外側との間を連通する第１通気口（４２３）と、前記第１通気口に対して前記軸線方向の他方側に形成されて前記収納室とその外側との間を連通する第２通気口（３６）とを形成するケース（３０）と、
前記第１通気口および前記第２通気口のうち一方の通気口から前記収納室を通して他方の通気口に流れる空気流を発生させる送風機（４０）と、を備え、
前記収納室内にて前記容器を介して前記蓄熱材或いは前記蓄冷材と熱交換した前記空気流を前記他方の通気口から吹き出すポータブル空調装置であって、
前記収納室は、
前記ケースと前記容器本体の側壁（２４）との間に配置されている第１空間（７０）と、
前記容器に対して前記軸線方向の他方側に配置されて前記第１空間と前記第２通気口との間に配置されている第２空間（７１）と、を有し、
前記第２空間は、前記第１空間から広がるように形成されているポータブル空調装置。
【請求項２】
空間形成部（６０）を備え、
前記ケースは、前記容器に対して前記軸線方向の他方側に配置されて前記収納室を形成する底部（３５）を有し、
前記空間形成部は、前記収納室のうち前記ケースの底部と前記容器との間に配置されて、前記ケースの底部と前記容器との間に前記第２空間を形成し、
前記第１空間のうち軸線方向他方側に位置する領域（７０ａ）において前記軸線方向に直交する断面の面積を第１断面積（Ｄ１）とし、前記第２空間のうち前記軸線方向に直交する断面の面積を第２断面積（Ｄ２）とし、
前記第２空間が前記第１空間の前記第１断面積よりも大きな前記第２断面積を有することにより、前記第２空間が前記第１空間から広がるように形成されている請求項１に記載のポータブル空調装置。
【請求項３】
前記収納室のうち前記容器と前記ケースの底部との間に亘って前記第２断面積が前記第１断面積よりも大きくなるように前記第２空間が形成されている請求項２に記載のポータブル空調装置。
【請求項４】
前記空間形成部のうち前記軸線方向に直交する断面の面積を第３断面積（Ｄ３）とし、
前記容器本体の底部のうち前記軸線方向に直交する断面の面積を第４断面積（Ｄ４）とし、
前記空間形成部は、前記第４断面積よりも小さい前記第３断面積を有するように形成されている請求項２または３に記載のポータブル空調装置。
【請求項５】
前記空間形成部は、前記容器を支える容器支持体を構成する請求項２ないし４のいずれか１つに記載のポータブル空調装置。
【請求項６】
前記容器支持体は、前記弾性変形により圧縮することが可能に構成されており、
前記ケースは、前記軸線方向の一方側から前記容器を支持するケース支持部（８１２）を有し、
前記容器は、前記容器支持体の弾性力を受けつつ、前記ケース支持部と前記容器支持体との間に挟まれた状態で保持されている請求項５に記載のポータブル空調装置。
【請求項７】
前記第２通気口は、前記ケースのうちその軸線方向に交差する方向に開口しており、
前記容器支持体のうち軸線方向一方側端部（６１）は、前記第２通気口に対して前記軸線方向の一方側に位置する請求項４または５に記載のポータブル空調装置。
【請求項８】
前記第２空間は、前記ケースの軸線を中心とする環状になるように形成されている請求項４ないし７のいずれか１つに記載のポータブル空調装置。
【請求項９】
前記容器支持体は、前記ケースの軸線方向に直交する断面が円形状に形成されている請求項４ないし８のいずれか１つに記載のポータブル空調装置。
【請求項１０】
前記容器支持体は、前記ケースの軸線方向に直交する断面が多角形に形成されている請求項４ないし８のいずれか１つに記載のポータブル空調装置。
【請求項１１】
前記容器支持体のうち前記軸線方向に直交する断面の面積を前記容器支持体の断面積とした場合において、
前記ケースのうち前記軸線方向の一方側から他方側に向かうほど、前記容器支持体の断面積が小さくなるように前記容器支持体が形成されている請求項４ないし１０のいずれか１つに記載のポータブル空調装置。
【請求項１２】
前記容器支持体のうち軸線方向に直交する断面の面積を前記容器支持体の断面積とした場合において、
前記ケースのうち前記軸線方向の他方側から一方側に向かうほど、前記容器支持体の断面積が小さくなるように前記容器支持体が形成されている請求項４ないし１０のいずれか１つに記載のポータブル空調装置。
【請求項１３】
蓄熱材或いは蓄冷材を収納する容器（２０）と、
筒状に形成されて、前記容器を収納する収納室（３０ａ）と、前記収納室とその外側との間を連通する第１通気口（４２３）と、前記収納室とその外側との間を連通する第２通気口（３６）とを形成するケース（３０）と、
前記第１通気口および前記第２通気口のうち一方の通気口から前記収納室を通して他方の通気口に流れる空気流を発生させる送風機（４０）と、を備え、
前記収納室内にて前記容器を介して前記蓄熱材或いは前記蓄冷材と熱交換した空気流を前記他方の通気口から吹き出すポータブル空調装置であって、
前記ケースは、
前記収納室に対して軸線方向一方側に配置されて前記収納室に連通する第１開口部（３２）と、前記収納室に対して軸線方向他方側に配置されて前記収納室に連通する第２開口部（３２Ａ）とを形成するケース本体（３０Ａ）と、
前記ケース本体の前記第１開口部を塞ぐ蓋部（３３）と、
前記ケース本体の前記第２開口部を塞ぐ底部（３５）と、を備え、
前記蓋部および前記ケース本体は、互いに脱着可能に構成されており、
前記底部および前記ケース本体は、互いに脱着可能に構成されているポータブル空調装置。
【発明の詳細な説明】
【技術分野】
【０００１】
本発明は、ポータブル空調装置に関するものである。
【背景技術】
【０００２】
従来、ポータブル空調装置では、蓄冷材を収納した飲料用ボトルと、飲料用ボトルを収納する収納室を形成する角筒状のケースと送風機とを備えるものがある（例えば、特許文献１参照）。
【０００３】
このものにおいて、ケースのうち飲料用ボトルに対して軸線方向一方側には、収納室と外側との間を連通する吹出口が設けられている。ケースのうち吹出口に対して軸線方向一方側には、収納室と外側との間を連通する吸入口が設けられている。
【０００４】
吸入口は、ケースのうち軸線方向に直交する方向に開口されている。このため、ケースの軸線を中心とする径方向外側から視て、吸入口は、飲料用ボトルの側壁に重なるようにように形成されている。
【０００５】
ここで、送風機の動作に伴って、ケースの外側から吸入口を通して空気流が収納室に吸入されて、この吸入された空気流は、収納室を軸線方向一方側に流通する。この際に、空気流は、飲料用ボトル内の蓄冷材により冷却されて冷風として送風機に吸い込まれる。この吸い込まれた冷風は、送風機から吹出口を通してケースの外側に吹き出される。
【０００６】
また、上記特許文献１のケースは、筒状に形成されて飲料用ボトルを収納して軸線方向一方側に開口する開口部を有するケース本体と、ケース本体の開口部を塞ぐ蓋部とから構成されている。このため、ケース本体から蓋部を外すことにより、ケース本体の開口部から飲料用ボトルを取り出したり、或いは、ケース本体の開口部を通してケース本体に飲料用ボトルを収納することができる。
【先行技術文献】
【特許文献】
【０００７】
【特許文献１】実用新案第３１１５９９５号公報
【発明の概要】
【発明が解決しようとする課題】
【０００８】
しかし、上記ポータブル空調装置では、上述の如く、ケース３０Ｘの軸線Ｓを中心とする径方向外側（図１３中矢印Ａ）から視て、吸入口３６Ａが飲料用ボトル２０Ａの側壁２１Ｂに重なるように形成されている。つまり、飲料用ボトル２０Ａの側壁２１Ｂが吸入口３６Ａの横側に配置されている。
【０００９】
このため、ケース３０Ｘの外側から吸入口３６Ａに吸入される空気流が空気流路３０ｃに流れることが阻害される。空気流路３０ｃは、収納室３０ｂのうち飲料用ボトル２０Ａの側壁２１Ｂとケース３０Ｘの内壁との間の空気流路である。
【００１０】
したがって、吸入口３６Ａに吸入される空気流（図１３中矢印Ｂ参照）が空気流路３０ｃに流れることが吸入口３６Ａの周辺で妨げられる。よって、吸入口３６Ａに吸入される空気流が空気流路３０ｃに流れる際に大きな圧力圧損を生じる。これに伴い、収納室３０ｂから送風機４０Ａおよび吹出口４２３Ａを通して外側に吹き出される送風量を確保することができない。
【００１１】
一方、ケースのうち飲料用ボトルに対して軸線方向一方側（図１３中上側）に吹出口４２３に代わる吸入口を設け、吸入口３６Ａに代わる吹出口が飲料用ボトル２０Ａの側壁２１Ｂに重なるように吹出口を設けた場合にも、空気流路３０ｃからの空気流が吹出口に流れることが吹出口の周辺で妨げられる。よって、空気流路３０ｃから吹出口に空気流が流れる際に大きな圧力圧損を生じる。これに伴い、吹出口から外側に吹き出される送風量を確保することができない。
【００１２】
本発明者等の検討によれば、収納室３０ｂ内の空気流と蓄冷材との間の熱交換の性能を確保するためには、収納室３０ｂのうち飲料用ボトル２０Ａの側壁２１Ｂとケース３０Ｘの内壁との間の空気流路３０ｃの幅寸法Ｗを小さくする必要がある。蓄冷材とは、空気流から吸熱して空気流を冷却する部材である。
【００１３】
しかし、空気流路３０ｃの幅寸法Ｗを小さくすると、ケース本体３１Ａの開口部３２Ａから蓋部３３Ａを外した状態で、ケース本体３１Ａの開口部３２Ａから飲料用ボトル２０Ａを取り出すことが難くなる。また、ケース本体３１Ａに開口部３２Ａを介して飲料用ボトル２０Ａを収納することが難くなる。
【００１４】
本発明は上記点に鑑みて、ケースの外側に吹き出される送風量を確保するようにしたポータブル空調装置を提供することを第１の目的とし、飲料用ボトルとしての容器をケースから取り出したり、容器をケースに収納することを容易に行うことができるようにしたポータブル空調装置を提供することを第２の目的とする。
【課題を解決するための手段】
【００１５】
上記目的を達成するため、請求項１に記載の発明では、底部（２３）を有して蓄熱材或いは蓄冷材を収納する容器本体（２１）とこの容器本体の開口部を塞ぐ蓋（２２）とを有する容器（２０）と、
筒状に形成されているケースであって、その軸線方向の一方側に容器の蓋が配置され、かつ軸線方向の他方側に容器本体の底部が配置されるように容器を収納する収納室（３０ａ）と、収納室とその外側との間を連通する第１通気口（４２３）と、第１通気口に対して軸線方向の他方側に形成されて収納室とその外側との間を連通する第２通気口（３６）とを形成するケース（３０）と、
第１通気口および第２通気口のうち一方の通気口から収納室を通して他方の通気口に流れる空気流を発生させる送風機（４０）と、を備え、
収納室内にて容器を介して蓄熱材或いは蓄冷材と熱交換した空気流を他方の通気口から吹き出すポータブル空調装置であって、
収納室は、
ケースと容器本体の側壁（２４）との間に配置されている第１空間（７０）と、
容器に対して軸線方向の他方側に配置されて第１空間と第２通気口との間に配置されている第２空間（７１）と、を有し、第２空間は、第１空間から広がるように形成されている。
【００１６】
但し、軸線方向とは、ケースの軸線（Ｓ）が延びる方向である。
【００１７】
これにより、第２空間が無い場合に比べて、収納室を介して第１通気口および第２通気口の間で空気流が流れる際に生じる圧力損失を下げることができる。これにより、収納室からケースの外側に吹き出される送風量を確保することができる。
【００１８】
請求項１３に記載の発明では、蓄熱材或いは蓄冷材を収納する容器（２０）と、
筒状に形成されて、容器を収納する収納室（３０ａ）と、収納室とその外側との間を連通する第１通気口（４２３）と、収納室とその外側との間を連通する第２通気口（３６）とを形成するケース（３０）と、
第１通気口および第２通気口のうち一方の通気口から収納室を通して他方の通気口に流れる空気流を発生させる送風機（４０）と、を備え、
収納室内にて容器を介して蓄熱材或いは蓄冷材と熱交換した空気流を他方の通気口から吹き出すポータブル空調装置であって、
ケースは、
収納室と、収納室に対して軸線方向一方側に配置されて収納室に連通する第１開口部（３２）と、収納室に対して軸線方向他方側に配置されて収納室に連通する第２開口部（３２Ａ）とを形成するケース本体（３０Ａ）と、
ケース本体の第１開口部を塞ぐ蓋部（３３）と、
ケース本体の第２開口部を塞ぐ底部（３５）と、を備え、
蓋部およびケース本体は、互いに脱着可能に構成されており、
底部およびケース本体は、互いに脱着可能に構成されている。
【００１９】
以上により、第１開口部をおよび第２開口部のうち一方の開口部を介してケース本体に容器を収納し、第１開口部をおよび第２開口部のうち一方の開口部以外の他方の開口部から容器を取り出すことができる。したがって、容器の先端側を底部よりも先にケースから取り出し、容器の先端側を底部よりも先にケースに収納することができる。よって、飲料用ボトルとしての容器をケースから取り出したり、容器をケースに収納することを容易に行うことができる。
【００２０】
なお、この欄および特許請求の範囲で記載した各手段の括弧内の符号は、後述する実施形態に記載の具体的手段との対応関係を示すものである。
【図面の簡単な説明】
【００２１】
【図１】本発明の第１実施形態におけるポータブル空調装置の全体構成を示す断面図である。
【図２】図１中II−II断面図である。
【図３】図１中III−III断面図である。
【図４】図１中IV−IV断面図である。
【図５】図１中の保冷ケースのうち、飲料ボトルの図示を省略した状態で、ボトル支持体周辺の部分拡大図である。
【図６】図１中VI矢視図である。
【図７】上記第１実施形態の第１変形例のボトル支持体単体を示す側面図である。
【図８】上記第１実施形態の第４変形例のボトル支持体単体を示す側面図である。
【図９】上記第１実施形態の第５変形例のボトル支持体単体を示す側面図である。
【図１０】上記第１実施形態の第６変形例のボトル支持体単体を示す側面図である。
【図１１】本発明の第２実施形態におけるポータブル空調装置の全体構成を示す断面図である。
【図１２】本発明の他の実施形態における熱交換フィンの斜視図である。
【図１３】本発明の課題を説明するためのポータブル空調装置の断面図である。
【発明を実施するための形態】
【００２２】
以下、本発明の実施形態について図に基づいて説明する。なお、以下の各実施形態相互において、互いに同一もしくは均等である部分には、説明の簡略化を図るべく、図中、同一符号を付してある。
【００２３】
（第１実施形態）
図１は本実施形態のポータブル空調装置１０の内部構成を示す断面図である。
【００２４】
本実施形態のポータブル空調装置１０は、図１に示すように、飲料の入った飲料ボトル２０と、この飲料ボトル２０を収容する保冷ケース３０と、電動ファン４１を備える送風ユニット４０と、電動ファン４１に給電する電源ユニット５０と、飲料ボトル２０の底部を支えるボトル支持体６０とを有して構成されている。
【００２５】
飲料ボトル２０は、内容量１．５リットルサイズのポリエチレンテレフタレート（ＰＥＴ）樹脂製のボトル本体２１と、ボトル本体２１の注ぎ口（すなわち、開口部）に取り付けられるポリエチレン樹脂製の蓋２２とからなる。
【００２６】
飲料ボトル２０は、例えばお茶や水などの飲料を入れたボトル本体２１を冷凍室等に入れて、ボトル本体２１内の飲料を完全に冷凍したものであり、ボトル本体（すなわち、容器本体）２１内で溶けた飲料が外部に漏れないように、飲み口には蓋２２が取り付けられている。
【００２７】
すなわち、本実施形態の飲料ボトル２０内で冷凍された飲料が蓄冷材として機能することになる。以下、飲料ボトル２０内で冷凍された飲料を蓄冷材ともいう。
【００２８】
このような飲料ボトル２０は、注ぎ口が保冷ケース３０の軸線方向一方側に配置され、ボトル本体２１の底部２３が軸線方向他方側に配置されるように保冷ケース３０に収納されている。本明細書において、軸線方向とは、保冷ケース３０の軸線Ｓが延びる方向のことである。
【００２９】
保冷ケース３０は、飲料ボトル２０を収納する収納室３０ａを形成する角筒状に形成されて、その軸線方向一方側（図１中上側）に開口部３２を有しているケース本体３１と、ケース本体３１の開口部３２に取り付けられる蓋部３３とを有している。
【００３０】
ここで、保冷ケース３０の角筒状とは、保冷ケース３０のうち軸線方向に直交する断面の外縁が多角形になる筒状のことである。
【００３１】
ケース本体３１は、軸線方向他方側（図１中下側）に配置されて、収納室３０ａを形成する底部３５を有している。
【００３２】
本実施形態では、保冷ケース３０は、軸線Ｓを中心とする径方向寸法よりも軸線方向の寸法よりも長い長筒形状に形成されている。
【００３３】
ケース本体３１は、合成樹脂製で、内壁面が断熱材９０で被覆されている。ケース本体３１の内壁面のうち軸線方向他方側には、ケース本体３１の収納室３０ａから冷風を吹き出す吹出口３６と、この吹出口３６を開閉する吸気口開閉部材３７が設けられている。
【００３４】
吹出口３６は、ケース本体３１の内壁面において、軸線Ｓに直交する方向に開口されている。吹出口３６は、飲料ボトル２０の底部２３に対して軸線方向他方側に配置されている。吸気口開閉部材３７は、ケース本体３１の側壁に対して着脱可能に取り付けられている。
【００３５】
本実施形態の収納室３０ａのうちケース本体３１の内壁（具体的には、断熱材９０）と飲料ボトル２０の側壁２４との間には、図２に示すように、飲料ボトル２０内の蓄冷材と空気流との間で熱交換させる熱交換空気空間７０（第１空間）が設けられている。
【００３６】
蓋部３３は、断熱性を有する合成樹脂材料で形成されており、ケース本体３１の開口部３２に直接取り付けられる蓋本体８１と、蓋本体８１に取り付けられるスライド開閉部８２とから構成されている。
【００３７】
蓋本体８１は、図１、図３に示すように、ケース本体３１の開口部３２を閉鎖可能な略矩形状で、蓋本体８１の中央部には、上方に突出する平面視円形状の凸部８１１が形成されており、凸部８１１の裏面側には、飲料ボトル２０の蓋２２に挿嵌可能な凹部８１２が形成されている。
【００３８】
凹部８１２は、飲料ボトル２０に対して軸線方向一方側に配置されて、軸線方向一方側から飲料ボトル２０の蓋２２を支えるケース支持部である。蓋本体８１には、８個の細長い通気口８１３が、凸部８１１を中心にして放射状に設けられている。
【００３９】
スライド開閉部８２は、円板状で、スライド開閉部８２の中心部には、蓋本体８１の凸部８１１を挿通可能な挿通口８２１が穿設されている。また、スライド開閉部８２には、図３に示すように、蓋本体８１の通気口８１３と同一形状のスライド窓８２３が、凸部８１１を中心にして放射状に設けられている。また、スライド開閉部８２の端部には径方向に延出するスライド用レバー８２２が設けられている。
【００４０】
スライド開閉部８２は、挿通口８２１に凸部８１１を挿通させて、蓋本体８１に取り付けた状態で、蓋本体８１に対して回転自在となっており、図３に示すように、スライド用レバー８２２を水平方向に揺動させることにより、蓋本体８１の通気口８１３が開閉可能となっている。
【００４１】
ボトル支持体６０は、図４および図５に示すように、ケース本体３１の収納室３０ａのうち飲料ボトル２０の底部とケース本体３１の底部３５との間に配置されて、飲料ボトル２０を支持する容器支持体を構成する。ボトル支持体６０は、軸線Ｓに直交する断面が円形となる円錐状に形成されている。ボトル支持体６０は、軸線方向他方側から一方側に向かうほど軸線Ｓに直交する断面の面積が小さくなるように形成されている。
【００４２】
本実施形態のボトル支持体６０は、図１および図４に示すように、収納室３０ａのうち、飲料ボトル２０の底部とケース本体３１の底部３５との間に配置されている空間（以下、下部空間７１という）を形成する。
【００４３】
下部空間７１は、熱交換空気空間７０に対して軸線方向他方側に配置されている第２空間である。そして、下部空間７１は、熱交換空気空間７０および吹出口３６の間に配置されている。
【００４４】
下部空間７１は、軸線Ｓを中心とする環状になるように形成されている。つまり、下部空間７１は、ボトル支持体６０を囲む環状になるように形成されている。下部空間７１は、熱交換空気空間７０に連通して、かつ吹出口３６に連通している。
【００４５】
以下、説明の便宜上、熱交換空気空間７０のうち軸線方向他方側に位置する領域７０ａにおいて、軸線Ｓに直交する断面の面積を断面積Ｄ１という。下部空間７１のうち軸線Ｓに直交する断面の面積を断面積Ｄ２という。ボトル支持体６０のうち軸線方向に直交する断面の面積を断面積Ｄ３という。ボトル本体２１の底部２３のうち軸線方向に直交する断面の面積を断面積Ｄ４という。
【００４６】
下部空間７１が断面積Ｄ１よりも大きな断面積Ｄ２を有するようにボトル支持体６０が形成されている（図２、図４参照）。具体的には、ボトル本体２１の底部２３とケース本体３１の底部３５との間に亘って断面積Ｄ２が断面積Ｄ１よりも大きくなるように下部空間７１が形成されている。
【００４７】
このことにより、下部空間７１は、熱交換空気空間７０から広がるように形成されている。
【００４８】
本実施形態では、ボトル支持体６０は、断面積Ｄ４よりも小さい断面積Ｄ３を有するように形成されている。具体的には、ボトル支持体６０のうち軸線方向一方側に位置する端部６１の断面積Ｄ３は、断面積Ｄ４よりも小さくなっている。
【００４９】
本実施形態では、軸線Ｓを中心とする径方向外側から視て、吹出口３６が下部空間７１に重なるように吹出口３６および下部空間７１が形成されている。つまり、吹出口３６が下部空間７１の横側に配置されている。
【００５０】
このことにより、吹出口３６が吸込口４２３に対して軸線方向他方側に配置されていることになる。
【００５１】
本実施形態のボトル支持体６０のうち軸線方向一方側に位置する端部６１は、図５に示すように、吹出口３６に対して軸線方向一方側に位置する。
【００５２】
送風ユニット４０は、保冷ケース３０の軸線方向一方側に着脱可能に取り付けられており、ケーシング４２と、ケーシング４２内に収容される電動ファン４１とを備えている。
【００５３】
ケーシング４２は、合成樹脂製で、図６に示すように、保冷ケース３０の横断面形状と略同一形状の天板部４２１と、天板部４２１の端部から立ち上がる側壁部４２２とから構成されている。
【００５４】
天板部４２１には、外部から電動ファン４１に空気流を供給する吸込口４２３が設けられている。吸込口４２３は、飲料ボトル２０に対して軸線方向一方側に配置されている。側壁部４２２の内壁面は、断熱材９０で被覆されている。
【００５５】
電動ファン４１は、駆動モータ内蔵型の軸流ファンであって、吸気側がケーシング４２の吸込口４２３側に位置し、かつ排気側が蓋部３３側に位置するように、天板部４２１に取り付けられている。
【００５６】
電源ユニット５０は、図１に示すように、保冷ケース３０に対して軸線方向他方側に、着脱可能に取り付けられており、ケーシング５１と、ケーシング５１内に設けられる電池収納部５２と、電池収納部５２内に配置される電池５３と、電動ファン４１に給電するための図示しない配線とから構成されている。
【００５７】
ケーシング５１は、合成樹脂製で、保冷ケース３０の横断面形状と略同一形状の底板部５１１と、底板部５１１の端部から立ち上がる側壁部５１２とから構成されており、側壁部５１２には、図示しない外部電源を接続するためのアダプタージャック５１３が設けられている。
【００５８】
次に、本実施形態のポータブル空調装置１０の使用手順について説明する。まず、飲料ボトル２０を保冷ケース３０内に収納する。すなわち、保冷ケース３０から送風ユニット４０を取り外した後、ケース本体３１から蓋部３３を取り外す。
【００５９】
次に、ケース本体３１の上端開口部からボトル支持体６０をケース本体３１の収納室３０ａのうち底部３５側に収納し、ケース本体３１の上端開口部から飲料ボトル２０を収納する。
【００６０】
このことにより、ボトル支持体６０をケース本体３１の底部３５と飲料ボトル２０の底部との間に介在させることになる。
【００６１】
次に、ケース本体３１の上端開口部に蓋部３３を取り付ける。具体的には、蓋本体８１の凹部８１２に飲料ボトル２０の蓋２２を嵌合させた状態で、蓋本体８１をケース本体３１に取り付ける。
【００６２】
蓋２２は、蓋本体８１の凹部８１２に嵌合するので、飲料ボトル２０の上端部側の位置ズレが防止される。蓋本体８１をケース本体３１に取り付けた後、スライド開閉部８２を蓋本体８１に取り付ける。つまり、挿通口８２１に蓋本体８１の凸部８１１を挿通させて、スライド開閉部８２を蓋本体８１の凸部８１１を中心に回動可能に取り付ける。そして、蓋本体８１の通気口８１３とスライド開閉部８２の挿通口８２１とを一致させて、ケース本体３１の内外を連通させる。
【００６３】
ケース本体３１に蓋部３３を取り付けた後、保冷ケース３０の上部に送風ユニット４０を取り付ける。送風ユニット４０は、電動ファン４１の排気側を蓋部３３に対向させて配置する。
【００６４】
最後に、電源ユニット５０のアダプタージャック５１３に外部電源を接続するか、若しくは電源ユニット５０内の電池収納部５２に電池５３を収納する。
【００６５】
そして、操作部４４の電源スイッチをオンすると、電源から電動ファン４１に電力が供給されて、電動ファン４１が回転する。
【００６６】
すると、送風ユニット４０のケーシング４２の吸込口４２３を通して外側から空気流が電動ファン４１に吸い込まれる。この吸い込まれた空気流は電動ファン４１から吹き出される。
【００６７】
この吹き出される空気流は、蓋本体８１の通気口８１３とスライド窓８２３とを通過して収納室３０ａ内の熱交換空気空間７０を流れる。この空気流は、熱交換空気空間７０を通過しながら、飲料ボトル２０との間で熱交換が行われて冷却される。この冷却された空気流（以下、冷風という）は、熱交換空気空間７０を通過してから下部空間７１に流れ込み。この空気流は、下部空間７１内で集められて吹出口３６から外側に吹き出される。
【００６８】
以上説明した本実施形態のポータブル空調装置１０は、蓄冷材を収納する飲料ボトル２０と、角筒状に形成されて、飲料ボトル２０を収納する収納室３０ａと、飲料ボトル２０に対して軸線方向一方側に配置されて収納室３０ａと外側との間を連通する第１通気口としての吸込口４２３と、飲料ボトル２０に対して軸線方向他方側に形成されて収納室３０ａと外側との間を連通する第２通気口としての吹出口３６とを形成する保冷ケース３０とを備える。
【００６９】
ポータブル空調装置１０は、吸込口４２３から収納室３０ａを通して吹出口３６から吹き出される空気流を発生させる送風ユニット４０を備え、収納室３０ａ内にて飲料ボトル２０を介して蓄冷材と熱交換した空気流を吹出口３６から吹き出す。
【００７０】
収納室３０ａは、飲料ボトル２０の側壁２４と保冷ケース３０との間に形成される第１空間としての熱交換空気空間７０と、熱交換空気空間７０と吹出口３６との間に配置されている第２空間としての下部空間７１とを備える。下部空間７１は、熱交換空気空間７０から広がるように形成されている。
【００７１】
ここで、熱交換空気空間７０のうち軸線方向他方側に位置する領域７０ａにおいて、軸線Ｓに直交する断面の面積を断面積Ｄ１とし、下部空間７１のうち軸線Ｓに直交する断面の面積を断面積Ｄ２とすると、下部空間７１が断面積Ｄ１よりも大きな断面積Ｄ２を有するように形成されている（図２、図４参照）。
【００７２】
以上により、断面積Ｄ１よりも大きな断面積を有する下部空間７１が吹出口３６の周辺に、確保されることになる。したがって、下部空間７１が無い場合に比べて、熱交換空気空間７０および吹出口３６の間で空気流が流れる際に生じる圧力損失を小さくすることができる。よって、収納室３０ａを介して吸込口４２３および吹出口３６の間で空気流が流れる際に生じる圧力損失を下げることができる。
【００７３】
これにより、電動ファン４１の出力を増大することなく、収納室３０ａから保冷ケース３０の外側に吹き出される送風量を確保することができる。したがって、空気流と蓄冷材との間の熱交換性能を向上させることができるので、利用者に与える冷風感を向上させることができる。
【００７４】
特に、本実施形態では、下部空間７１は、軸線Ｓを中心とする環状になるように形成されている。このため、熱交換空気空間７０を通過した空気流をより一層円滑に吹出口３６に案内することができる。
【００７５】
本実施形態の吹出口３６は、保冷ケース３０において、その軸線方向に交差する方向に開口している。ボトル支持体６０のうち軸線方向一方側に形成されている端部６１は、保冷ケース３０の吹出口３６よりも軸線方向一方側に位置する。
【００７６】
これにより、ボトル支持体６０の端部６１が保冷ケース３０の吹出口３６よりも軸線方向他方側に位置する場合に比べて、下部空間７１の体積を大きくなる。よって、熱交換空気空間７０を通過した空気流を下部空間７１にてより一層、円滑に吹出口３６に案内することができる。このため、空気流が下部空間７１を通して吹出口３６に流れる際に生じる圧力損失をより一層下げることができる。
【００７７】
本実施形態では、ボトル支持体６０が軸線方向一方側から他方側に向かうほど軸線Ｓに直交する断面の面積が大きくなる円錐状に形成されている。よって、ボトル支持体６０が熱交換空気空間７０を通過した空気流を良好に吹出口３６に案内することができる。
【００７８】
本実施形態では、ボトル支持体６０は、下部空間７１が保冷ケース３０の軸線Ｓを中心とする環状になるように形成されている。
【００７９】
これにより、熱交換空気空間７０を通過した空気流が下部空間７１で吹出口３６に案内される。このため、吹出口４２３および吹出口３６の間で空気流が流れる際に生じる圧力損失をより一層を小さくすることができる。
【００８０】
本実施形態では、収納室３０ａのうち飲料ボトル２０と保冷ケース３０の底部３５との間に亘って断面積Ｄ２が断面積Ｄ１よりも大きくなるように下部空間７１が形成されている。
【００８１】
これにより、下部空間７１の体積を大きくすることができるので、収納室３０ａを介して吹出口４２３および吹出口３６の間での間で空気流が流れる際に生じる圧力損失をさらに一層下げることができる。
【００８２】
上記第１実施形態では、ボトル支持体６０として、軸線方向他方側から一方側に向かうほど軸線Ｓに直交する断面の面積が小さくなる円錐状に形成したものを用いた例について説明したが、これに代えて、次の第１〜第６変形例のようにしてもよい。
【００８３】
（第１変形例）
図７に示すように、軸線方向他方側から一方側に向かうほど軸線Ｓに直交する断面の面積が大きくなる円錐状に形成したものをボトル支持体６０として用いてもよい。
【００８４】
本変形例のボトル支持体６０のうち軸線方向他方側に位置する端部６１ａの断面積Ｄ３は、断面積Ｄ４よりも小さくなっている。
【００８５】
この場合、上記第１実施形態と同様に、ボトル支持体６０の周囲において、軸線Ｓを中心とする環状になるように下部空間７１が形成される。
【００８６】
例えば、送風ユニット４０のケーシング４２に吸込口４２３に代わる吹出口が設けられ、かつ吹出口３６に代わる吸込口が下部空間７１に連通する場合には、吹出口から下部空間７１に流入した空気流がボトル支持体６０に沿って軸線方向他方側から一方側に空気流が流れる。このことにより、下部空間７１から熱交換空気空間７０に空気流が円滑に流れることになる。
【００８７】
（第２変形例）
軸線Ｓに直交する断面の外縁が多角形であり、かつ軸線方向他方側から一方側に向かうほど軸線Ｓに直交する断面の面積が小さくなる角錐状に形成したものを、ボトル支持体６０として用いてもよい。
【００８８】
（第３変形例）
軸線Ｓに直交する断面の外縁が多角形であり、かつ軸線方向一方側から他方側に向かうほど軸線Ｓに直交する断面の面積が小さくなる角錐状に形成したものを、ボトル支持体６０として用いてもよい。
【００８９】
（第４変形例）
図８に示すように、軸線方向他方側部位６０ａと、軸線方向一方側部位６０ｂとを備えるものをボトル支持体６０として用いてもよい。
【００９０】
軸線方向他方側部位６０ａ（図８中下側）は、軸線方向に亘って軸線Ｓに直交する断面の面積が同一である。軸線方向一方側部位６０ｂ（図７中上側）は、軸線方向他方側から一方側に向かうほど軸線Ｓに直交する断面の面積が小さくなるように形成されている。
【００９１】
本変形例では、ボトル支持体６０のうち軸線方向一方側部位６０ｂの断面積Ｄ３は、断面積Ｄ４よりも小さくなっている。
【００９２】
（第５変形例）
図９に示すように、軸線方向に延びる直方体に形成されているものを、ボトル支持体６０として用いてもよい。この場合も、上記第１実施形態と同様に、ボトル支持体６０の周囲において、軸線Ｓを中心とする環状になるように下部空間７１が形成される。
【００９３】
本変形例では、ボトル支持体６０の断面積Ｄ３は、軸線方向に亘って、断面積Ｄ４よりも小さくなっている。
【００９４】
（第６変形例）
本発明を実施する際に、上記第１実施形態において、ボトル支持体６０として、弾性変形が可能に構成されたものを用いてもよい。
【００９５】
具体的には、ボトル支持体６０は、図１０に示すように、支持本体６２と弾性部材６３とを備える。支持本体６２は、軸線方向他方側から一方側に向かうほど軸線Ｓに直交する断面の面積が小さくなる円錐状に形成されている。
【００９６】
弾性部材６３は、支持本体６２に対して軸線方向一方側に配置されて、支持本体６２よりも弾性変形が容易な材料（例えば、ゴム）から構成されている。このことにより、ボトル支持体６０は、弾性変形により圧縮することが可能に構成されていることになる。
【００９７】
本変形例では、二色成形等により、弾性部材６３および支持本体６２を一体成形したものがボトル支持体６０として用いられる。
【００９８】
ボトル支持体６０は、弾性部材６３が弾性変形により圧縮された状態で、蓋本体８１の凹部８１２と保冷ケース３０の底部３５との間に挟まれている。このため、ボトル支持体６０は、弾性部材６３から弾性力をを受けつつ、蓋本体８１の凹部８１２と保冷ケース３０の底部３５との間に保持されている。
【００９９】
以上説明した第２変形例によれば、ボトル支持体６０の弾性変形による圧縮により、飲料ボトル２０の軸線方向の寸法のバラツキを吸収することができる。このため、ボトル支持体６０の弾性変形による圧縮により、飲料ボトル２０を蓋本体８１の凹部８１２と保冷ケース３０の底部３５との間に確実に保持することができる。
【０１００】
これに加えて、ボトル支持体６０および飲料ボトル２０の間の密着性を高めることができる。このため、振動等によりボトル支持体６０および飲料ボトル２０が衝突して異音を発生させることを未然に防ぐことができる。
【０１０１】
本変形例では、ボトル支持体６０のうち弾性部材６３の断面積Ｄ３は、軸線方向に亘って、断面積Ｄ４よりも小さくなっている。
【０１０２】
このように第１〜第６変形例のボトル支持体６０によって下部空間７１は、上記第１実施形態と同様に、軸線Ｓを中心とする環状になるように形成されている。
【０１０３】
なお、上記第６変形例では、ボトル支持体６０の一部である弾性部材６３を弾性変形が可能に構成した例について説明したが、これに代えて、ボトル支持体６０の全体をゴム等により構成してボトル支持体６０の全体を弾性変形が可能に構成してもよい。
【０１０４】
（第２実施形態）
本第２実施形態では、上記第１実施形態において、保冷ケース３０に対して蓋部３３と底部３５とがそれぞれ脱着可能に構成される例について図１１を用いて説明する。
【０１０５】
本実施形態の保冷ケース３０は、ケース本体３０Ａ、蓋部３３、および底部３５とを備える。
【０１０６】
ケース本体３０Ａは、収納室３０ａと、収納室３０ａに対して軸線方向一方側に配置されて収納室３０ａに連通する開口部３２と、収納室３０ａに対して軸線方向他方側に配置されて収納室３０ａに連通する開口部３２Ａとを形成する。蓋部３３は、ケース本体３０Ａの開口部３２を塞ぐように形成されている。底部３５は、ケース本体３０Ａの開口部３２Ａを塞ぐように形成されている。
【０１０７】
ここで、蓋部３３には、雌ネジ３３Ａが形成されている。ケース本体３０Ａのうち軸線方向一方側には、雄ネジ３０Ｃが設けられている。
【０１０８】
蓋部３３の雌ネジ３３Ａとケース本体３０Ａの雄ネジ３０Ｃとを締結することにより、蓋部３３とケース本体３０Ａとを固定することができる。一方、蓋部３３の雌ネジ３３Ａとケース本体３０Ａの雄ネジ３０Ｃとを離脱することにより、ケース本体３０Ａの軸線方向一方側には、開口部３２が開口されることになる。
【０１０９】
ケース本体３０Ａのうち軸線方向他方側には、雄ネジ３０Ｂが設けられている。底部３５には、雌ネジ３５Ａが設けられている。
【０１１０】
ケース本体３０Ａの雄ネジ３０Ｂと底部３５の雌ネジ３５Ａとを締結することにより、ケース本体３０Ａと底部３５とを固定することができる。一方、ケース本体３０Ａの雄ネジ３０Ｂと底部３５の雌ネジ３５Ａとを離脱することにより、ケース本体３０Ａの軸線方向他方側には、開口部３２Ａが開口されることになる。
【０１１１】
以上により、ケース本体３０Ａ、蓋部３３、および底部３５を分解した状態で、ケース本体３０Ａは、軸線方向一方側には、開口部３２が開口され、かつ軸線方向他方側には、開口部３２Ａが開口されることになる。
【０１１２】
このため、ケース本体３０Ａから底部３５を分解した状態で、飲料ボトル２０のうち蓋２２をケース本体３０Ａの開口部３２Ａに向けた状態にして、その後、飲料ボトル２０のうち蓋２２側（すなわち、先端側）をケース本体３０Ａの開口部３２Ａに挿入する。次に、飲料ボトル２０の底部がケース本体３０Ａ内に収納された後、ケース本体３０Ａに底部３５を固定する。
【０１１３】
一方、ケース本体３０Ａと蓋部３３とを分解した状態で、飲料ボトル２０のうち蓋２２側（すなわち、先端側）をケース本体３０Ａの開口部３２から取り出す。次いで、飲料ボトル２０のうち底部側をケース本体３０Ａの開口部３２から出す。その後、ケース本体３０Ａに蓋部３３を固定する。
【０１１４】
一方、上記特許文献１では、ケース３０Ｘ（図１３参照）から蓋部３３Ａを外すと、ケース３０Ｘのうち軸線方向一方側の開口部３２Ａが開口され、この開口部３２Ａから飲料ボトル２０Ａの出し入れを行う構造となっている。そして、前述の通り空気流路３０ｃ（図１３参照）の幅寸法Ｗが小さいため、飲料ボトル２０Ａの出し入れがし難い。特に、飲料ボトル２０Ａの特長として、飲み口側（先端）がすぼまった形状となっているため、飲料ボトル２０Ａを飲み口側からケース３０Ａを挿入することが望ましいが、上記特許文献１の場合には底部よりケース３０Ａを挿入する必要があるため、挿入性が悪い。
【０１１５】
これに対して、本実施形態によれば、飲料ボトル２０のうち蓋２２側を底部よりも先にケース本体３０Ａの開口部３２Ａに挿入する。このため、ケース本体３０Ａ内に、飲料ボトル２０を容易に挿入することができる。一方、飲料ボトル２０のうち蓋２２側を底部側よりも先にケース本体３０Ａの開口部３２から出す。このため、ケース本体３０Ａから飲料ボトル２０を容易に出すことができる。
【０１１６】
以上により、常に、保冷ケース３０に対して飲料ボトル２０を先端側から挿入、取り出しが可能となるため、保冷ケース３０に対する飲料ボトル２０の脱着を容易に行うことができる。
【０１１７】
なお、本実施形態では、保冷ケース３０以外の構成は、上記第１実施形態と同様であるため、その説明を省略する。
【０１１８】
（他の実施形態）
（１）上記第１、第２実施形態では、飲料ボトル２０内に蓄冷材を収納した例について説明したが、これに代えて、温水等の蓄熱材を飲料ボトル２０内に収納して蓄熱材と空気流とを熱交換により温風を発生させてもよい。蓄熱材とは、空気流に放熱して空気流を加熱する部材である。
【０１１９】
この場合も、熱交換空気空間７０および吹出口３６の間で空気流が流れる際に生じる圧力損失を小さくすることができる。よって、電動ファン４１の出力を増大することなく、収納室３０ａから保冷ケース３０の外側に吹き出される送風量を確保することができる。したがって、空気流と蓄熱材との間の熱交換性能を向上させることができるので、利用者に与える暖房感を向上させることができる。
【０１２０】
（２）上記第１、第２実施形態では、吸込口４２３を吹出口３６に対して軸線方向一方側に配置した例について説明したが、これに限らず、吸込口４２３および吹出口３６の間に下部空間７１および熱交換空気空間７０が配置されるのであれば、吸込口４２３を吹出口３６に対して軸線方向他方側に配置してもよい。
【０１２１】
具体的には、次の（ａ）（ｂ）のようにしてもよい。
【０１２２】
（ａ）飲料ボトル２０のうち軸線方向一方側端部に対して軸線方向他方側に吹出口３６が配置されている。
【０１２３】
（ｂ）飲料ボトル２０に対して軸線方向一方側に吹出口３６が配置されている。
【０１２４】
このように吸込口４２３および吹出口３６が配置される場合には、送風ユニット４０が外側から空気流を吹出口３６を通して収納室３０ａ内に吸入し、この吸入した空気流を吹出口３６から外側に吹き出させる。
【０１２５】
或いは、吸込口４２３が吹出口３６に対して軸線方向一方側に配置される場合において、
飲料ボトル２０のうち軸線方向一方側端部に対して軸線方向他方側に吸込口４２３を配置してもよい。
【０１２６】
（３）上記第１、第２実施形態では、本発明の容器として飲料ボトル２０を用いた例について説明したが、これに代えて、本発明の容器としては、飲料ボトル２０以外の容器を用いてもよい。容器の材料としては、樹脂材料以外のガラス、金属材料等の材料を用いてもよい。
【０１２７】
（４）上記第１、第２実施形態において、保冷ケース３０の収納室３０ａ内において飲料ボトル２０と断熱材９０との間に、空気流と飲料ボトル２０との間の熱交換を促進する熱交換フィン１００（図１２参照）を設けてもよい。
【０１２８】
熱交換フィン１００は、アルミニウム等の金属材料によって円筒状に形成されて、かつ外周面が凹部１０１と凸部１０２とが円周方向に交互に配置されている。凹部１０１と凸部１０２は、それぞれ、軸線方向に延びるように形成されている。熱交換フィン１００には、軸線方向に貫通する貫通穴１０３が設けられている。貫通穴１０３内に飲料ボトル２０が挿入されている。
【０１２９】
ここで、凹部１０１は、空気流路を形成している。このため、凹部１０１内に空気流が流れる際に、飲料ボトル２０を介して空気流と蓄冷材（或いは、蓄熱材）との間の熱交換によって空気流が冷却されることになる。
【０１３０】
この場合、上記第２実施形態における、ケース本体３０Ａ、蓋部３３、および底部３５を分解可能に構成した保冷ケース３０を採用すれば、熱交換フィン１００の貫通穴１０３に飲料ボトル２０を嵌めた状態で、熱交換フィン１００および飲料ボトル２０を保冷ケース３０内に収納することができる。
【０１３１】
（５）上記第１、第２実施形態において、保冷ケース３０として、角筒状に形成されているケースを用いた例について説明したが、これに代えて、保冷ケース３０として、その軸線Ｓに直交する断面が円形となる円筒状に形成されているケースを用いてもよい。
【０１３２】
（６）上記第１、第２実施形態において、空間形成部としてのボトル支持体６０によって飲料ボトル２０を支えるようにした例について説明したが、これに代えて、ボトル支持体６０以外の部材を用いて飲料ボトル２０を支えるようにしてもよい。
【０１３３】
（７）上記第１、第２実施形態において、吹出口３６を保冷ケース３０において軸線Ｓに対して直行する方向に開口した例について説明したが、これに代えて、保冷ケース３０において軸線方向他方向に開口してもよい。
【０１３４】
（８）上記第１、第２実施形態において、保冷ケース３０およびボトル支持体６０として、それぞれ独立したものを用いた例について説明したが、これに代えて、保冷ケース３０およびボトル支持体６０が一体化成形されたものを用いてもよい。
【０１３５】
（９）上記第１、第２実施形態において、軸線Ｓを中心とする径方向寸法よりも軸線方向の寸法よりも長い長筒形状に形成されているケースを保冷ケース３０として用いた例について説明したが、これに代えて、軸線方向の寸法が軸線Ｓを中心とする径方向寸法よりも短い短筒形状に形成されているケースを保冷ケース３０として用いてもよい。
【０１３６】
（１０）上記第１、第２実施形態において、ボトル本体２１の底部２３とケース本体３１の底部３５との間に亘って、下部空間７１の断面積Ｄ２が断面積Ｄ１よりも大きくなるように下部空間７１が形成されている例について説明したが、これに代えて、次のように下部空間７１を構成してもよい。
【０１３７】
すなわち、下部空間７１は、ボトル本体２１の底部２３とケース本体３１の底部３５との間のうち一部の領域において、断面積Ｄ２が断面積Ｄ１よりも大きくなる。これに加えて、下部空間７１は、ボトル本体２１の底部２３とケース本体３１の底部３５との間のうち一部の領域以外の他の領域において、下部空間７１の断面積Ｄ２が断面積Ｄ１よりも小さくなる。
【０１３８】
つまり、本発明の下部空間７１は、ボトル本体２１の底部２３とケース本体３１の底部３５との間のうち一部の領域において、断面積Ｄ２が断面積Ｄ１よりも大きくなればよく、必ずしも、ボトル本体２１の底部２３とケース本体３１の底部３５との間に亘って、断面積Ｄ２が断面積Ｄ１よりも大きくなる必要がない。
【０１３９】
（１１）なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【０１４０】
（まとめ）
上記実施形態、および他の実施形態の一部または全部に記載された第１の観点によれば、底部を有して蓄熱材或いは蓄冷材を収納する容器本体とこの容器本体の開口部を塞ぐ蓋とを有する容器と、筒状に形成されているケースであって、その軸線方向の一方側に容器の蓋が配置され、かつ軸線方向の他方側に容器本体の底部が配置されるように容器を収納する収納室と、収納室とその外側との間を連通する第１通気口と、第１通気口に対して軸線方向の他方側に形成されて収納室とその外側との間を連通する第２通気口とを形成するケースと、第１通気口および第２通気口のうち一方の通気口から収納室を通して他方の通気口に流れる空気流を発生させる送風機と、を備え、収納室内にて容器を介して蓄熱材或いは蓄冷材と熱交換した空気流を他方の通気口から吹き出すポータブル空調装置であって、
収納室は、ケースと容器本体の側壁との間に配置されている第１空間と、容器に対して軸線方向の他方側に配置されて第１空間と第２通気口との間に配置されている第２空間と、を有し、第２空間は、第１空間から広がるように形成されている。
【０１４１】
第２の観点によれば、空間形成部を備え、ケースは、容器に対して軸線方向の他方側に配置されて収納室を形成する底部を有し、空間形成部は、収納室のうちケースの底部と容器との間に配置されて、ケースの底部と容器との間に第２空間を形成し、
第１空間のうち軸線方向他方側に位置する領域において軸線方向に直交する断面の面積を第１断面積とし、第２空間のうち軸線方向に直交する断面の面積を第２断面積とし、
第２空間が第１空間の第１断面積よりも大きな第２断面積を有することにより、第２空間が第１空間から広がるように形成されている。
【０１４２】
これにより、空間形成部によって第２空間を形成することができる。
【０１４３】
第３の観点によれば、収納室のうち容器とケースの底部との間に亘って第２断面積が第１断面積よりも大きくなるように第２空間が形成されている。
【０１４４】
これにより、第２空間の体積を大きくすることができるので、収納室を介して第１通気口および第２通気口の間で空気流が流れる際に生じる圧力損失をより一層下げることができる。
【０１４５】
第４の観点によれば、空間形成部のうち軸線方向に直交する断面の面積を第３断面積とし、容器本体の底部のうち軸線方向に直交する断面の面積を第４断面積とし、空間形成部は、第４断面積よりも小さい第３断面積を有するように形成されている。
【０１４６】
第５の観点によれば、空間形成部は、容器を支える容器支持体を構成する。
【０１４７】
これにより、容器支持体によって第２空間を形成することができる。
【０１４８】
第６の観点によれば、容器支持体は、弾性変形により圧縮することが可能に構成されており、ケースは、軸線方向一方側から容器を支持するケース支持部を有し、容器は、容器支持体の弾性力を受けつつ、ケース支持部と容器支持体との間に挟まれた状態で保持されている。
【０１４９】
これにより、容器支持体の弾性変形によって、容器の軸線方向寸法のバラツキを吸収することができる。
【０１５０】
第７の観点によれば、第２通気口は、ケースのうちその軸線方向に交差する方向に開口しており、容器支持体のうち軸線方向一方側端部は、第２通気口に対して軸線方向の一方側に位置する。
【０１５１】
これにより、容器支持体のうち軸線方向一方側端部（６１）を第１通気口（３６）に対して軸線方向の他方側に配置する場合に比べて、第２空間（７１）が大きくなるため、第１通気口および第２通気口の間で空気流が流れる際に生じる圧力損失を一層を小さくすることができる。
【０１５２】
第８の観点によれば、第２空間は、ケースの軸線を中心とする環状になるように形成されている。
【０１５３】
これにより、第１通気口および第２通気口の間で空気流が流れる際に生じる圧力損失をより一層を小さくすることができる。
【０１５４】
第９の観点によれば、容器支持体は、ケースの軸線方向に直交する断面が円形状に形成されている。
【０１５５】
第１０の観点によれば、容器支持体は、ケースの軸線方向に直交する断面が多角形に形成されている。
【０１５６】
第１１の観点によれば、容器支持体のうち軸線方向に直交する断面の面積を容器支持体の断面積とした場合において、ケースのうち軸線方向の一方側から他方側に向かうほど、容器支持体の断面積が小さくなるように容器支持体が形成されている。
【０１５７】
第１２の観点によれば、容器支持体のうち軸線方向に直交する断面の面積を容器支持体の断面積とした場合において、ケースのうち軸線方向の他方側から一方側に向かうほど、容器支持体の断面積が小さくなるように容器支持体が形成されている。
【０１５８】
第１３の観点によれば、蓄熱材或いは蓄冷材を収納する容器と、筒状に形成されて、容器を収納する収納室と、収納室とその外側との間を連通する第１通気口と、収納室とその外側との間を連通する第２通気口とを形成するケースと、第１通気口および第２通気口のうち一方の通気口から収納室を通して他方の通気口に流れる空気流を発生させる送風機と、を備え、収納室内にて容器を介して蓄熱材或いは蓄冷材と熱交換した空気流を他方の通気口から吹き出すポータブル空調装置であって、ケースは、収納室に対して軸線方向一方側に配置されて収納室に連通する第１開口部と、収納室に対して軸線方向他方側に配置されて収納室に連通する第２開口部とを形成するケース本体と、ケース本体の第１開口部を塞ぐ蓋部と、ケース本体の第２開口部を塞ぐ底部と、を備え、蓋部およびケース本体は、互いに脱着可能に構成されており、底部およびケース本体は、互いに脱着可能に構成されている。
【符号の説明】
【０１５９】
１０    ポータブル空調装置
２０    飲料容器
３０    保冷ケース
３６    吹出口
４０    ファンユニット
４２３    吸込口
５０    電源ユニット
６０    ボトル支持体
７０    熱交換空気空間
７１    下部空間
【図１】
2018136066.tif 000003
【図２】
2018136066.tif 000004
【図３】
2018136066.tif 000005
【図４】
2018136066.tif 000006
【図５】
2018136066.tif 000007
【図６】
2018136066.tif 000008
【図７】
2018136066.tif 000009
【図８】
2018136066.tif 000010
【図９】
2018136066.tif 000011
【図１０】
2018136066.tif 000012
【図１１】
2018136066.tif 000013
【図１２】
2018136066.tif 000014
【図１３】
2018136066.tif 000015